(57)【要約】      （修正有）【課題】無線通信システム及び基準信号を用いる方法を提供する。【解決手段】基準信号に基づいた無線通信装置に用いられる方法であって、複数のパイロットルールを得るステップ５０２、無線通信装置と、少なくとも１つのセルを含み、１つまたは１つ以上のデータストリームを用いた領域にある他の無線通信装置間の無線チャネルの無線チャネル情報を得るステップ５０４、無線チャネル情報に基づいた前記複数のパイロットルールから適当なパイロットルールを選ぶステップ５０６、無線チャネルに用いられる少なくとも１つのパイロット構造を作るステップ５０８、及び作られた少なくとも１つのパイロット構造を用いて前記無線チャネルにデータを伝送するステップ５１０を含む方法。【選択図】図５
2014079011.tif 000002
【特許請求の範囲】
【請求項１】
無線通信装置であって、
少なくとも１つのアンテナ、及び
少なくとも１つのセル又はセクターを含み少なくとも２つのデータストリームを用いる領域内の、前記無線通信装置と外部無線通信装置との間の無線チャネルによって、当該外部無線通信装置と通信するように構成される送受信機を含み、
前記送受信機は、前記少なくとも２つのデータストリームで前記少なくとも１つのセルまたはセクターに用いられるように提供される複数のパイロット構造の少なくとも１つのパイロット構造を用い、
前記複数のパイロット構造の各々あるいは各組は、複数のパイロットルールから選ばれた適当なパイロットルールに基づいて作成され、
前記複数のパイロットルールは、
データシンボルとパイロットシンボルを含む第１資源ユニットから最後のＯＦＤＭシンボルを削除して、第２資源ユニットのパイロットシンボルを形成するステップ、
前記第１資源ユニットの第１ＯＦＤＭシンボルを複写し、前記第１資源ユニットの後に追加のＯＦＤＭシンボルを挿入して第３資源ユニットのパイロットシンボルを形成するステップ、及び
前記第１資源ユニット、前記第２資源ユニットと、前記第３資源ユニットのパイロット密度を同じに保持して電力変動を減少するステップ
を含み、
列はＯＦＤＭシンボルを表し、行はサブキャリアを表し、‘１’はデータストリーム１のパイロットシンボルを表し、‘２’はデータストリーム２のパイロットシンボルを表し、‘０’はデータシンボルを表すという条件で、第１セル／セクター、第２セル／セクター及び第３セル／セクターの前記複数のパイロット構造の第１のパイロット構造のセットは、次の図表３６の構造をそれぞれ含む
無線通信装置。
【表３６】
2014079011.tif 000038
【請求項２】
第１セル／セクター、第２セル／セクター及び第３セル／セクターの前記複数のパイロット構造の第２のパイロット構造のセットは、次の図表３７の構造をそれぞれ含む請求項１に記載の無線通信装置。
【表３７】
2014079011.tif 000039
【請求項３】
第１セル／セクター、第２セル／セクター及び第３セル／セクターの前記複数のパイロット構造の第３のパイロット構造のセットは、次の図表３８の構造をそれぞれ含む請求項１に記載の無線通信装置。
【表３８】
2014079011.tif 000040
【請求項４】
さらに‘３’はデータストリーム３のパイロットシンボルを表すという条件で、全てのセルまたはセクターの前記複数のパイロット構造の第１のパイロット構造は、次の図表３９の構造を含む請求項１に記載の無線通信装置。
【表３９】
2014079011.tif 000041
【請求項５】
さらに‘３’はデータストリーム３のパイロットシンボルを表すという条件で、全てのセルまたはセクターの前記複数のパイロット構造の第２のパイロット構造は、次の図表４０の構造を含む請求項１に記載の無線通信装置。
【表４０】
2014079011.tif 000042
【請求項６】
さらに‘３’はデータストリーム３のパイロットシンボルを表すという条件で、全てのセルまたはセクターの前記複数のパイロット構造の第３のパイロット構造は、次の図表４１の構造を含む請求項１に記載の無線通信装置。
【表４１】
2014079011.tif 000043
【請求項７】
さらに‘３’はデータストリーム３のパイロットシンボルを表し、‘４’はデータストリーム４のパイロットシンボルを表すという条件で、全てのセルまたはセクターの前記複数のパイロット構造の第４のパイロット構造は、次の図表４２の構造を含む請求項１に記載の無線通信装置。
【表４２】
2014079011.tif 000044
【請求項８】
さらに‘３’はデータストリーム３のパイロットシンボルを表し、‘４’はデータストリーム４のパイロットシンボルを表すという条件で、全てのセルまたはセクターの前記複数のパイロット構造の第５のパイロット構造は、次の図表４３の構造を含む請求項１に記載の無線通信装置。
【表４３】
2014079011.tif 000045
【請求項９】
さらに‘３’はデータストリーム３のパイロットシンボルを表し、‘４’はデータストリーム４のパイロットシンボルを表すという条件で、全てのセルまたはセクターの前記複数のパイロット構造の第６のパイロット構造は、次の図表４４の構造を含む請求項１に記載の無線通信装置。
【表４４】
2014079011.tif 000046
【請求項１０】
さらに‘３’はデータストリーム３のパイロットシンボルを表すという条件で、第１セル／セクター、第２セル／セクター及び第３セル／セクターの前記複数のパイロット構造の第４のパイロット構造のセットは、次の図表４５の構造をそれぞれ含む請求項１に記載の無線通信装置。
【表４５】
2014079011.tif 000047
【請求項１１】
さらに‘３’はデータストリーム３のパイロットシンボルを表すという条件で、第１セル／セクター、第２セル／セクター及び第３セル／セクターの前記複数のパイロット構造の第５のパイロット構造のセットは、次の図表４６の構造をそれぞれ含む請求項１に記載の無線通信装置。
【表４６】
2014079011.tif 000048
【請求項１２】
さらに‘３’はデータストリーム３のパイロットシンボルを表すという条件で、第１セル／セクター、第２セル／セクター及び第３セル／セクターの前記複数のパイロット構造の第６のパイロット構造のセットは、次の図表４７の構造をそれぞれ含む請求項１に記載の無線通信装置。
【表４７】
2014079011.tif 000049
【請求項１３】
さらに‘３’はデータストリーム３のパイロットシンボルを表すという条件で、第１セル／セクター、第２セル／セクター及び第３セル／セクターの前記複数のパイロット構造の第７のパイロット構造のセットは、次の図表４８の構造をそれぞれ含む請求項１に記載の無線通信装置。
【表４８】
2014079011.tif 000050
【請求項１４】
さらに‘３’はデータストリーム３のパイロットシンボルを表すという条件で、第１セル／セクター、第２セル／セクター及び第３セル／セクターの前記複数のパイロット構造の第８のパイロット構造のセットは、次の図表４９の構造をそれぞれ含む請求項１に記載の無線通信装置。
【表４９】
2014079011.tif 000051
【請求項１５】
さらに‘３’はデータストリーム３のパイロットシンボルを表し、‘４’はデータストリーム４のパイロットシンボルを表すという条件で、第１セル／セクター、第２セル／セクター及び第３セル／セクターの前記複数のパイロット構造の第９のパイロット構造のセットは、次の図表５０の構造をそれぞれ含む請求項１に記載の無線通信装置。
【表５０】
2014079011.tif 000052
【請求項１６】
第１セル／セクター、第２セル／セクター及び第３セル／セクターの前記複数のパイロット構造の第１０のパイロット構造のセットは、次の図表５１の構造をそれぞれ含む請求項１に記載の無線通信装置。
【表５１】
2014079011.tif 000053
【請求項１７】
さらに‘３’はデータストリーム３のパイロットシンボルを表すという条件で、第１セル／セクター、第２セル／セクター及び第３セル／セクターの前記複数のパイロット構造の第１１のパイロット構造のセットは、次の図表５２の構造をそれぞれ含む請求項１に記載の無線通信装置。
【表５２】
2014079011.tif 000054
【請求項１８】
さらに‘３’はデータストリーム３のパイロットシンボルを表し、‘４’はデータストリーム４のパイロットシンボルを表すという条件で、第１セル／セクター、第２セル／セクター及び第３セル／セクターの前記複数のパイロット構造の第１２のパイロット構造のセットは、次の図表５３の構造をそれぞれ含む請求項１に記載の無線通信装置。
【表５３】
2014079011.tif 000055
【請求項１９】
全てのセルまたはセクターの前記複数のパイロット構造の第７のパイロット構造は、次の図表５４の構造を含む請求項１に記載の無線通信装置。
【表５４】
2014079011.tif 000056
【請求項２０】
さらに‘３’はデータストリーム３のパイロットシンボルを表すという条件で、全てのセルまたはセクターの前記複数のパイロット構造の第８のパイロット構造は、次の図表５５の構造を含む請求項１に記載の無線通信装置。
【表５５】
2014079011.tif 000057
【請求項２１】
さらに‘３’はデータストリーム３のパイロットシンボルを表し、‘４’はデータストリーム４のパイロットシンボルを表すという条件で、全てのセルまたはセクターの前記複数のパイロット構造の第９のパイロット構造は、次の図表５６の構造を含む請求項１に記載の無線通信装置。
【表５６】
2014079011.tif 000058
【請求項２２】
全てのセルまたはセクターの前記複数のパイロット構造の第１０のパイロット構造は、次の図表５７の構造を含む請求項１に記載の無線通信装置。
【表５７】
2014079011.tif 000059
【請求項２３】
さらに‘３’はデータストリーム３のパイロットシンボルを表すという条件で、全てのセルまたはセクターの前記複数のパイロット構造の第１１のパイロット構造は、次の図表５８の構造を含む請求項１に記載の無線通信装置。
【表５８】
2014079011.tif 000060
【請求項２４】
さらに‘３’はデータストリーム３のパイロットシンボルを表し、‘４’はデータストリーム４のパイロットシンボルを表すという条件で、全てのセルまたはセクターの前記複数のパイロット構造の第１２のパイロット構造は、次の図表５９の構造を含む請求項１に記載の無線通信装置。
【表５９】
2014079011.tif 000061
【発明の詳細な説明】
【技術分野】
【０００１】
本発明は、無線通信システムに関し、特に、基準信号に基づいた無線通信技術に関するものである。
【背景技術】
【０００２】
次世代の無線通信システムの領域における最近の研究開発努力は、既存のシステムよりはるかに高いデータ転送速度を提供することを目指している。無線装置とシステムがより高いデータ転送速度で通信できるように、初期時間と周波数の同期、セルの識別と、チャネル推定を行う、より良いメカニズムが必要とされている。一般的に、基準信号またはパイロットシンボルが用いられてこのようなメカニズムを提供する。
【０００３】
基準信号またはパイロットシンボルは、データストリームの既知の部位（時間または周波数）に挿入される既知のシグナル配列を指しており、通信装置が基準信号またはパイロットシンボルを容易に検出できるようにし、時間と周波数の同期を行い、チャネル情報を測定し、干渉軽減または干渉除去などを行い、且つ（または）検出された基準信号またはパイロットシンボルに基づいて時間／周波数オフセット推定を提供できるようにしている。
【０００４】
また、次世代の無線システムは、直交周波数分割多重（ＯＦＤＭ）技術を用いることができる。ＯＦＤＭ方式は、サブキャリアと呼ばれる、異なる周波数幅を用いて信号を平行に伝送する。パイロットシンボルは、ＯＦＤＭ方式に用いられて、チャネル推定と、時間と周波数の同期を提供するだけでなく、サブキャリアの周波数と位相シフト誤差も防ぐことができる
【０００５】
例えば、米国電気電子技術者協会（ＩＥＥＥ）８０２.１６広帯域無線アクセスワーキンググループでは、ドキュメンテーション８０２.１６ｍのパイロット構造は、ＩＥＥＥ第５４回の会議で初期化されている。パイロット構造のいくつかの設計配慮が議論されているが、現時点では、次世代の無線通信システムに用いられるパイロット構造またはパターンを設計する系統的な取り組みがまだ欠けている。
【０００６】
本実施形態で述べられる方法とシステムは、上述の問題を解決することができる。
【発明の概要】
【発明が解決しようとする課題】
【０００７】
無線通信システム及び基準信号を用いる方法を提供する。
【課題を解決するための手段】
【０００８】
本発明の１つの態様は、基準信号に基づいた無線通信装置に用いられる方法を含む。前記方法は、複数のパイロットルールを得るステップと無線通信装置と他の無線通信装置間の無線チャネルの無線チャネル情報を得るステップを含むことができる。無線通信装置は、少なくとも１つのセルを含み、１つまたは１つ以上のデータストリームを用いた領域にあることができる。また、前記方法は、無線チャネル情報に基づいた前記複数のパイロットルールから適当なパイロットルールを選ぶステップ、無線チャネルに用いられる少なくとも１つのパイロット構造を作るステップと前記作られた少なくとも１つのパイロット構造を用いて前記無線チャネルにデータを伝送するステップを含むことができる。
【０００９】
本発明のもう１つの態様は、無線通信装置を含む。無線通信装置は、少なくとも１つのアンテナと送受信機を含む。送受信機は、無線通信装置と少なくとも１つのセルとセクターを含み、１つまたは１つ以上のデータストリームを用いる領域の外部無線通信装置間の無線チャネルによって外部無線通信装置と通信するように構成されることができる。また、送受信機は、１つまたは１つ以上のデータストリームで少なくとも１つのセルまたはセクターに用いられるように提供される、少なくとも１つの統一されたパイロット構造を用いることができる。
【図面の簡単な説明】
【００１０】
【図１】図１は、本発明の一実施形態に係る本発明の特徴を組み込んだ代表的な無線通信環境を示す図である。
【図２】図２は、本発明の実施形態に沿った代表的な制御器を示す図である。
【図３】図３は、本発明の実施形態に沿った代表的な資源ユニットを示す図である。
【図４Ａ】図４Ａは、本発明の実施形態に沿った無線ネットワークの代表的な単一セルを示す図である。
【図４Ｂ】図４Ｂは、本発明の実施形態に沿った複数のセルによって覆われた広領域を示す図である。
【図５】図５は、本発明の実施形態に沿った、統一されたパイロット構造を作り上げて、用いる代表的なプロセスを示す図である。
【図６Ａ】図６Ａは、本発明の実施形態に沿った代表的なパイロット構造のセットを示す図である。
【図６Ｂ】図６Ｂは、本発明の実施形態に沿った他の代表的なパイロット構造のセットを示す図である。
【図６Ｃ】図６Ｃは、本発明の実施形態に沿った他の代表的なパイロット構造のセットを示す図である。
【図６Ｄ】図６Ｄは、本発明の実施形態に沿った他の代表的なパイロット構造のセットを示す図である。
【図６Ｅ】図６Ｅは、本発明の実施形態に沿った他の代表的なパイロット構造のセットを示す図である。
【図６Ｆ】図６Ｆは、本発明の実施形態に沿った他の代表的なパイロット構造のセットを示す図である。
【図６Ｇ】図６Ｇは、本発明の実施形態に沿った他の代表的なパイロット構造のセットを示す図である。
【図６Ｈ】図６Ｈは、本発明の実施形態に沿った他の代表的なパイロット構造のセットを示す図である。
【図７Ａ】図７Ａは、本発明の実施形態に沿った代表的なパイロット構造を示す図である。
【図７Ｂ】図７Ｂは、本発明の実施形態に沿った他の代表的なパイロット構造を示す図である。
【図７Ｃ】図７Ｃは、本発明の実施形態に沿った他の代表的なパイロット構造を示す図である。
【図７Ｄ】図７Ｄは、本発明の実施形態に沿った他の代表的なパイロット構造を示す図である。
【図７Ｅ】図７Ｅは、本発明の実施形態に沿った他の代表的なパイロット構造を示す図である。
【図７Ｆ】図７Ｆは、本発明の実施形態に沿った他の代表的なパイロット構造を示す図である。
【図７Ｇ】図７Ｇは、本発明の実施形態に沿った他の代表的なパイロット構造を示す図である。
【図７Ｈ】図７Ｈは、本発明の実施形態に沿った他の代表的なパイロット構造を示す図である。
【図７Ｉ】図７Ｉは、本発明の実施形態に沿った他の代表的なパイロット構造を示す図である。
【図７Ｊ】図７Ｊは、本発明の実施形態に沿った他の代表的なパイロット構造を示す図である。
【図７Ｋ】図７Ｋは、本発明の実施形態に沿った他の代表的なパイロット構造を示す図である。
【図７Ｌ】図７Ｌは、本発明の実施形態に沿った他の代表的なパイロット構造を示す図である。
【図７Ｍ】図７Ｍは、本発明の実施形態に沿った他の代表的なパイロット構造を示す図である。
【図８Ａ】図８Ａは、本発明の実施形態に沿った代表的なパイロット構造のセットを示す図である。
【図８Ｂ】図８Ｂは、本発明の実施形態に沿った他の代表的なパイロット構造のセットを示す図である。
【図９Ａ】図９Ａは、本発明の実施形態に沿った他の代表的なパイロット構造のセットを示す図である。
【図９Ｂ】図９Ｂは、本発明の実施形態に沿った他の代表的なパイロット構造のセットを示す図である。
【図１０Ａ】図１０Ａは、本発明の実施形態に沿った他の代表的なパイロット構造のセットを示す図である。
【図１０Ｂ】図１０Ｂは、本発明の実施形態に沿った他の代表的なパイロット構造のセットを示す図である。
【図１１Ａ】図１１Ａは、本発明の実施形態に沿った他の代表的なパイロット構造のセットを示す図である。
【図１１Ｂ】図１１Ｂは、本発明の実施形態に沿った他の代表的なパイロット構造のセットを示す図である。
【図１２Ａ】図１２Ａは、本発明の実施形態に沿った他の代表的なパイロット構造のセットを示す図である。
【図１２Ｂ】図１２Ｂは、本発明の実施形態に沿った他の代表的なパイロット構造のセットを示す図である。
【図１３Ａ】図１３Ａは、本発明の実施形態に沿った他の代表的なパイロット構造のセットを示す図である。
【図１３Ｂ】図１３Ｂは、本発明の実施形態に沿った他の代表的なパイロット構造のセットを示す図である。
【図１４Ａ】図１４Ａは、本発明の実施形態に沿った他の代表的なパイロット構造のセットを示す図である。
【図１４Ｂ】図１４Ｂは、本発明の実施形態に沿った他の代表的なパイロット構造のセットを示す図である。
【図１５Ａ】図１５Ａは、本発明の実施形態に沿った他の代表的なパイロット構造のセットを示す図である。
【図１５Ｂ】図１５Ｂは、本発明の実施形態に沿った他の代表的なパイロット構造のセットを示す図である。
【図１５Ｃ】図１５Ｃは、本発明の実施形態に沿った他の代表的なパイロット構造のセットを示す図である。
【図１５Ｄ】図１５Ｄは、本発明の実施形態に沿った他の代表的なパイロット構造のセットを示す図である。
【図１５Ｅ】図１５Ｅは、本発明の実施形態に沿った他の代表的なパイロット構造のセットを示す図である。
【図１５Ｆ】図１５Ｆは、本発明の実施形態に沿った他の代表的なパイロット構造のセットを示す図である。
【図１５Ｇ】図１５Ｇは、本発明の実施形態に沿った他の代表的なパイロット構造のセットを示す図である。
【図１５Ｈ】図１５Ｈは、本発明の実施形態に沿った他の代表的なパイロット構造のセットを示す図である。
【図１５Ｉ】図１５Ｉは、本発明の実施形態に沿った他の代表的なパイロット構造のセットを示す図である。
【図１５Ｊ】図１５Ｊは、本発明の実施形態に沿った他の代表的なパイロット構造のセットを示す図である。
【図１６Ａ】図１６Ａは、本発明の実施形態に沿った代表的なパイロット構造を示す図である。
【図１６Ｂ】図１６Ｂは、本発明の実施形態に沿った代表的なパイロット構造を示す図である。
【図１６Ｃ】図１６Ｃは、本発明の実施形態に沿った代表的なパイロット構造を示す図である。
【図１６Ｄ】図１６Ｄは、本発明の実施形態に沿った代表的なパイロット構造を示す図である。
【図１７】図１７は、本発明の実施形態に沿った代表的なパイロット構造のセットを示す図である。
【図１８】図１８は、本発明の実施形態に沿った他の代表的なパイロット構造のセットを示す図である。
【図１９】図１９は、本発明の実施形態に沿った他の代表的なパイロット構造のセットを示す図である。
【図２０】図２０は、本発明の実施形態に沿った他の代表的なパイロット構造のセットを示す図である。
【図２１】図２１は、本発明の実施形態に沿った他の代表的なパイロット構造のセットを示す図である。
【図２２】図２２は、本発明の実施形態に沿った他の代表的なパイロット構造のセットを示す図である。
【図２３Ａ】図２３Ａは、本発明の実施形態に沿った代表的なパイロット構造のセットを示す図である。
【図２３Ｂ】図２３Ｂは、本発明の実施形態に沿った代表的なパイロット構造のセットの図２３Ａに続く部分を示す図である。
【図２４Ａ】図２４Ａは、本発明の実施形態に沿った他の代表的なパイロット構造のセットを示す図である。
【図２４Ｂ】図２４Ｂは、本発明の実施形態に沿った他の代表的なパイロット構造のセットの図２４Ａに続く部分を示す図である。
【図２５Ａ】図２５Ａは、本発明の実施形態に沿った他の代表的なパイロット構造のセットを示す図である。
【図２５Ｂ】図２５Ｂは、本発明の実施形態に沿った他の代表的なパイロット構造のセットの図２５Ａに続く部分を示す図である。
【発明を実施するための形態】
【００１１】
本発明の目的、特徴、長所が一層明確に理解されるよう、以下に代表的な一実施形態を例示し、当該実施形態について図面を参照して詳細に説明する。
【００１２】
図１は、本発明の特徴を組み込んだ代表的な通信環境１００を示す図である。図１に示すように、さまざまなシステム、例えば符号分割多元接続（ＣＤＭＡ）、広帯域符号分割多元接続（ＷＣＤＭＡ）、無線ＬＡＮ（ＷＬＡＮ）、ワイマックス（ＷｉＭＡＸ）及び直交周波数分割多重（ＯＦＤＭ）などを有する無線通信ネットワークの通信環境１００は、基地局１１０と通信端末１２０を含むことができる。図１に示す基地局の数と通信端末の数は、説明のために１ずつを記載しているもので、これを限定するものではない。本発明の原則を逸脱しない限りにおいては、如何なる数の基地局と通信端末も用いられることができ、また、他の装置を加えることもできる。
【００１３】
基地局１１０は、例えば地上に基地局を置く通信基地局や衛星通信基地局など、適合する任意のタイプの無線基地局（ｗｉｒｅｌｅｓｓ ｏｒ ｒａｄｉｏ ｂａｓｅ ｓｔａｔｉｏｎ）も含むことができる。基地局１１０は、適合する任意のタイプの音声通信機器、データ通信機器及び／または音声とデータを統合した通信機器を含むことができ、高速データ通信及び／または音声通信を提供する。即ち基地局１１０としては、任意のタイプの基地局またはその等価物を用いることができる。
【００１４】
また、基地局１１０は、送受信機１１２と１つまたは１つ以上のアンテナアレイ１４０を含むことができ、各アンテナアレイは、１つまたは１つ以上のアンテナ１４２を含むことができる。送受信機１１２は、適合する任意のタイプの送信機及び受信機を含み、基地局１１０からデータを他の無線装置に送信し、またデータを他の無線装置から受信する。送受信機１１２は、各種の必要な機能的な構成要素、プロセッサ及び／または回路を含むことができ、コーディング／エンコーディング、変調／復調、パイロットシンボル挿入／除去、及び、その他の無線チャネルの関連機能を提供する。
【００１５】
基地局１１０、具体的にいえば送受信機１１２は、１つまたは１つ以上のアンテナアレイ１４０を用いて、異なる構成、例えば１入力１出力（ＳＩＳＯ）、１入力多出力（ＳＩＭＯ）、多入力１出力（ＭＩＳＯ）、及び、多入力多出力（ＭＩＭＯ）で受信と送信をすることができる。１つのアンテナアレイ１４０は、１つのセルまたはセクターをサーブ（ｓｅｒｖｅ）することができる。
【００１６】
通信端末１２０は、さまざまな通信標準のいずれかに基づいた基地局１１０と通信できる、例えば携帯電話、携帯用デバイスまたは各種の無線装置などの適合する任意の通信端末を含むことができる。通信端末１２０は、直接的に、または、例えば陸上（ｌａｎｄｌｉｎｅ）通信装置または無線通信装置などの基地局１１０を介して間接的に、他の通信端末（図示せず）と通信するように構成されることもできる。また、通信端末１２０は、無線通信送受信機１２２を含むことができ、通信端末１２０と基地局１１０間及び／または通信端末１２０と他の通信端末間の通信を行っている。
【００１７】
送受信機１２２は、適合する任意のタイプのモバイルデバイス通信送受信機（ｍｏｂｉｌｅ ｄｅｖｉｃｅ ｃｏｍｍｕｎｉｃａｔｉｏｎ ｔｒａｎｓｃｅｉｖｅｒ）、即ち共通周波数制御を有する送信機と受信機の組み合わせを含むこともできる。送信機と受信機は、単一パッケージまたは異なるパッケージに入れられることができる。送受信機１２２は、送受信機１２２の送信及び／または受信中に生じる信号を処理するために提供されたさまざまな回路を含むことができる。送受信機１２２は、各種の所望の機能的な構成要素、プロセッサ及び／または回路も含むことができ、コーディング／エンコーディング、変調／復調、パイロットシンボル挿入／除去、及び、その他の無線チャネルの関連機能を提供する。
【００１８】
通信端末１２０は、基地局１１０から信号を受信、または基地局に信号を送信する送受信機１２２で用いられる１つまたは１つ以上のアンテナアレイ１５０を含むことができる。各アンテナアレイ１５０は、１つのセルまたは１つのセクターをサーブすることができる。通信端末１２０は、１入力１出力（ＳＩＳＯ）、１入力多出力（ＳＩＭＯ）、多入力１出力（ＭＩＳＯ）及び／または多入力多出力（ＭＩＭＯ）モードで動作するように構成されることもできる。端末１２０は、端子１２０と基地局１１０間で確立されたダウンリンク（ＤＬ）チャネルによって基地局１１０から信号またはデータを受信し、端子１２０と基地局１１０間で確立されたアップリンク（ＵＬ）チャネルによって基地局１１０に信号またはデータを送信する。
【００１９】
送受信機１１２及び／または１２２の動作は、制御器（図１に図示されていない）によって制御することができる。図２は、送受信機１１２と送受信機１２２に用いることができる代表的な制御器２００を示す図である。図２に示されるように、制御器２００は、プロセッサ２０２、ランダムアクセスメモリ（ＲＡＭ）２０４、読み出し専用メモリ（ＲＯＭ）２０６、記憶装置２０８、入力／出力インターフェース２１０と、通信インターフェース２１２を含むことができる。図２に示す制御器２００に含まれる各構成部のタイプと数は、説明のために１つずつ記載しているもので、これを限定するものではない。その数は変えられることができ、ある特定の装置を除去することもでき、また、他の構成部を加えることもできる。
【００２０】
プロセッサ２０２は、適合する任意の一般用途のマイクロプロセッサ、デジタル信号プロセッサ、特定用途向け集積回路（ＡＳＩＣ）、またはマイクロコントローラも含むことができる。プロセッサ２０２はコンピュータープログラム命令を順に実行し、特定のエンコーディング／デコーディング機能とパイロットシンボル関連機能を含むさまざまな処理を行い、所望の情報処理機能を実現する。プロセッサ２０２は他の装置、例えば送受信機、他のプロセッサ、高周波（ＲＦ）装置、及び／またはアンテナなどの他の装置との間で、接続またはアクセス可能である。
【００２１】
ＲＡＭ２０４とＲＯＭ２０６は、適合する任意のタイプのランダムアクセスメモリ、読み出し専用メモリ、またはフラッシュメモリを含むこともできる。
記憶装置２０８は、プロセッサ２０２が処理を行うのに必要な各種の情報を保存するのに提供される、記憶装置２０８としては、適合する任意のタイプの大容量記憶装置を含むことができる。例えば、記憶装置２０８は、１つまたは１つ以上のハードディスクデバイス、フロッピーディスクデバイス、及び／または記憶空間を提供する他の記憶装置を含むことができる。
【００２２】
入力／出力インターフェース２１０は、プロセッサ２０２から制御信号及び／またはデータ信号を他の装置に送ることができ、他の装置からプロセッサ２０２に送られた制御信号及び／またはデータ信号を受けることができる。
通信インターフェース２１２は、通信接続を提供し、コンピューターが例えばインターネットなどのコンピュータネットワークを介して他のシステムと情報を交換できるようにする。
【００２３】
送受信機１１２及び／または送受信機１２２は、制御器２００の制御下でＯＦＤＭ方式を用いて互いに通信することができる。送受信機１１２及び／または送受信機１２２は、統一されたパイロットパターンまたはパイロット構造をＯＦＤＭ通信に応用することができる。ここで用いられる統一されたパイロット構造は、共通パイロット（即ち全てのユーザーが用いることができる）と専用パイロット（即ち特定のユーザーに限定される）の両方に用いられる、同じパイロット構造を指すことができる。統一されたパイロット構造は、ＤＬとＵＬ伝送の両方に用いられる同じパイロット構造を指すこともできる。また、統一されたパイロット構造は、例えば異なる数のデータストリームが用いられる、異なるサイズの資源ユニット（ｒｅｓｏｕｒｃｅ ｕｎｉｔ、ＲＵ）が用いられる、及び／または異なる基地局と無線セル構成などの異なる動作環境下で系統的に設計された一連のパイロットパターンを指すことができる。図３は、ＯＦＤＭ方式の代表的な資源ユニットを表しており、図４Ａと４Ｂは、代表的なセルと無線ネットワーク構成を表している。
【００２４】
図３に示されるように、ＯＦＤＭデータ伝送は、時間と周波数の両方で表されている。図３において、水平軸は時間を表しており、垂直軸は周波数を表している。ＯＦＤＭデータは、タイムスロット（ＯＦＤＭシンボル）内のサブキャリア（周波数帯）であるリソースグリッド（ｒｅｓｏｕｒｃｅ ｇｒｉｄ）３０２によって伝送される。ここで用いられる資源ユニットは、既定数の連続したＯＦＤＭシンボルにおける既定数の連続したサブキャリアを含む資源配分の基本ユニットを指すことができる。例えば、図３に示される例では、資源ユニット３００は、１８個のサブキャリアと６つのシンボル（１８×６）のデータブロックである。
【００２５】
各シンボル（資源ユニット３００の小さい長方形）は、どんなタイプの情報も送信用に用いられることができる。例えば、データシンボルはデータを送信し、パイロットシンボルはパイロットパターンを伝送する。しかし、パイロットシンボルを加えることはデータシンボルの数を減少させるため、一方ではパイロットシンボルを用いた高精度のチャネル推定を提供するためにオーバーヘッドを加え、一方ではスペクトル効率とデータ率に影響しないようにするためにオーバーヘッドを最小に保持する。両者の間には、所望のトレードオフがある可能性がある。トレードオフは、複数のアンテナが用いられることができ、複数のデータストリームまたはラジオ／無線信号が特定の時間と位置で共存することができることから、ＭＩＭＯ方式では、更に複雑になる可能性がある。
【００２６】
図４Ａは、無線ネットワークの代表的な単一セルを示す図である。セルは、１つまたは１つ以上のアンテナアレイまたはアンテナを有する１つの基地局でサービスが提供されるエリアを指す。基地局で用いられる複数のアンテナアレイは、複数のセクター、例えば、セクター＃１、セクター＃２と、セクター＃３をサーブすることができる。各セクターは１つまたは１つ以上のデータストリームでラジオ信号を伝送することもできる。例えば図４Ａでは、セクター＃１は、２つのストリームを伝送し、セクター＃２は、４つのストリームを伝送し、セクター＃３は、４つのストリームを伝送する。ストリームとセクターの数は、説明のためだけのもので、適当などんな数のストリーム及び／またはセクターも用いられることができる。例えば、パイロット構造を設計するために、複数のセクターを有するセルのセクターは、データストリーム源（即ちセクター／セル）としての単一セクターを有するセルと等しい。
【００２７】
図４Ｂは、複数のセルによって覆われた広領域を示す図である。異なるセル及び／または異なるセクターからの信号は、例えば図中の点線の円と点線の長方形のように特定のエリアで干渉を起こす可能性がある。パイロット構造の設計の系統的取り組みは、このような干渉を防ぐ、または減少することができる。統一されたパイロット構造は、特定のパイロット構造または特定のパイロット構造または特定のパイロット構造セットを用いることで無線通信の品質を改善するように作られて用いられることができる。図５は、統一されたパイロット構造を作り上げて、用いる代表的なプロセス５００を示す図である。代表的なプロセス５００は、コントローラ２００（プロセッサ２０２）、またはプロセッサ２０２に類似のプロセッサを有する、適合する任意のコンピュータシステムによっても行われることができる。
【００２８】
図５に示されるように、プロセッサ２０２は、複数のパイロットルール（ステップ５０２）を確立することができる。ここで用いられるパイロットルールは、ＯＦＤＭまたは無線通信システムに用いられるパイロットパターンに関連した特定の設計配慮のことを指すことができる。例えば、複数のパイロットルールは、パイロット密度ルール（ルール１またはＲ１）を含むことができる。
【００２９】
パイロット密度は、チャネル推定の精度に直接的な影響を及ぼす可能性がある。パイロット密度が高ければ、即ち、パイロットシンボルが多ければ、チャネル推定の精度を増すことができる。一方では、比較的高いパイロット密度は、比較的少ないデータ信号が用いられることができるため、比較的高いチャネルオーバーヘッドを意味する。チャネルオーバーヘッドとチャネル推定の精度とで適当なトレードオフを達成するために、望ましくは単一ストリームと２ストリーム構成に対して、規則的な（ｒｅｇｕｌａｒ）１８×６資源ユニット内の伝送ストリーム毎に６つのパイロットシンボルを用いることができる。また、望ましくは、仮に用いられる伝送ストリームの数が２より大きい場合、伝送ストリーム毎に６つより少ないパイロットシンボルを用いることもできる。例えば、１８×５及び／または１８×７資源ユニットｓなどの他の不規則（ｉｒｒｅｇｕｌａｒ）な資源ユニットｓには、パイロットシンボルは、対応した規則的な１８×６資源ユニットに基づいて設計されることができる。しかし、他の数のパイロットシンボルも資源ユニットの大きさに基づいて用いられるか、または場合によって用いられることができる。
【００３０】
パイロット密度、またはパイロットオーバーヘッドr は、用いられるパイロットシンボルと資源ユニット構成に基づいて計算されることができる。例えば、セル／セクター内の全ての資源ユニットが同じパイロット構造を用いた場合、パイロットオーバーヘッドr は、r = Np,RU/Nrg,RUのように計算されることができる。Np,RUは、資源ユニット内にある全てのパイロットストリーム上のパイロットシンボルの総数であり、Nrg,RUは、資源ユニット内にあるリソースグリッドの総数であり、資源ユニット内にあるサブキャリアNsc,RU の数とＯＦＤＭシンボルNOFDM,RU の数の積と等しい。即ち、Nrg,RU = Nsc,RU ´ NOFDM,RUである。
【００３１】
複数のパイロットルールは、パイロット空間ルール（ｓｐａｃｉｎｇ ｒｕｌｅ）（ルール２またはＲ２）も含むことができる。パイロット空間は、時間領域及び／または周波数領域で任意の２つのパイロットをどのぐらいの間隔であけるか決めることができる。パイロット空間は、チャネル推定の特性にも影響を及ぼす。時間領域と周波数領域での任意の２つのパイロット間の最大パイロット空間は、例えばコヒーレント時間（即ち時間が定数を保持中の時間窓）とコヒーレント帯域幅（即ち周波数特性が定数を保持中の帯域幅）のチャネルパラメータによって決められなければならない。ＩＥＥＥ８０２.１６ｍ標準の要求を満たすために、例えば、３５０ｋｍ／ｈまでの移動速度と５μｓを超えないチャネル遅延スプレッドを支援し、時間領域で３つのＯＦＤＭシンボルを超えず、周波数領域で９つのサブキャリアを超えない最大パイロット空間を制限することが望ましい。所望のパイロット空間に基づいて、パイロットシンボル外のシンボルのチャネル推定は、適当に内挿／外挿されることができる。
【００３２】
複数のパイロットルールは、チャネル推定の外挿回避ルール（ａｖｏｉｄａｎｃｅ ｒｕｌｅ）（ルール３またはＲ３）を含むこともできる。数値的観点から、通常、外挿は内挿より精度が低い。チャネル推定の外挿を回避するために、パイロットシンボルまたはパイロットシンボルのセットを資源ユニットの境界付近に、または境界上に配置する。
【００３３】
複数のパイロットルールは、交差されたパイロットルール（ルール４またはＲ４）も含むことができる。ユーザーがセクター／セルの境界に位置する時、“パイロット衝突（ｐｉｌｏｔ ｃｏｌｌｉｓｉｏｎ）”（干渉）が生じてチャネル推定の精度に影響を及ぼす可能性がある。パイロット衝突を回避するために、望ましくは、異なるセクターまたはセルに用いられるパイロット構造を互いに交差させることができる。即ち、各セクター／セルに用いられるパイロット構造の直交特性を保留する。よって、交差されたパイロットパターン、例えば直交パイロット構造は、各セクター／セルで支持されることができる。また、衝突を回避するパイロット構造を簡素化するために、資源ユニット内の時間領域（及び／または周波数領域）でパイロットパターンを周期的にシフトし、隣接のセル及び／またはセクター、または全てのセクター／セルのパイロットパターンを作ることができる。
【００３４】
複数のパイロットルールは、パイロット電力を上げるルール（ルール５またはＲ５）も含むことができる。好ましくは、パイロットシンボルの電力を上げてチャネル推定の精度を向上させることができる。しかし、資源ユニット内で各ＯＦＤＭシンボルのパイロットシンボルの電力のみを増加するのは難しい可能性がある。また、データシンボル及び／またはゼロ（ｎｕｌｌ）シンボルからの電力を再配置することが可能な可能性がある。これはしかしながら、特定のパイロットストリームのパイロットシンボルの数が各ＯＦＤＭシンボルで異なる場合、シンボル毎の電力変動を招く可能性もある。よって、シンボル毎の電力変動を減少するために、好ましくは、資源ユニット内の各ＯＦＤＭシンボルにパイロットストリームとパイロットシンボルを均一に配置することができる。
【００３５】
複数のパイロットルールは、アンテナ全域にわたるパイロット電力のルールを含むこともできる（ルール６またはＲ６）。パイロットシンボルが多重アンテナに伝送された時、電力変動が異なるアンテナ全体に起こる可能性がある。多重アンテナ／ストリーム伝送の電力変動を減少、または最小化するために、望ましくは各アンテナにパイロットシンボルを均一に配置することができる。
【００３６】
複数のパイロットルールは、サブフレームサイズのパイロットルールも含むことができる（ルール７またはＲ７）。ある特定の状況では、いくつかのＯＦＤＭシンボルは、制御信号、またはダウンリンク／アップリンク遷移（ｔｒａｎｓｉｔｉｏｎ）に必要な可能性があるガードインターバルに伝送するのに用いられることができる。よって、パイロットシンボルは、１８×５資源ユニットになる可能性がある、いくつかのＯＦＤＭシンボルに配置されなくなることができる。一方、長さが短い周期プレフィックス（ＣＰ）の時、例えば、ＯＦＤＭシンボルの１／１６のＣＰが支援されている時、１８×７の資源ユニットが伝送に用いられることができる。よって、パイロット構造は、６つ前後のＯＦＤＭシンボルを有するサブフレームに設計される必要がある可能性がある。
【００３７】
更に特に、ＩＥＥＥ８０２.１６ｍ標準では、１つ目及び／または最後のＯＦＤＭシンボルは、特定の目的、例えば制御信号及び／またはガードインターバルのために保留されることができる。しかし、パイロットシンボルを配置することなく、これらの２つのＯＦＤＭシンボルを保留することは、シンボル毎の電力変動を招く。望ましくは、サブフレーム内のＯＦＤＭシンボルの数（例えば、１８×３、１８×５、１８×６、または１８×７資源ユニット）に関係なく、パイロット密度（またはオーバーヘッド）を同じに保持するパイロット構造を設計して電力変動を減少または防ぐことができる。パイロット構造は、規則的な資源ユニット（１８×６）から最後のドメイン列（ｃｏｌｕｍｎ）（ＯＦＤＭシンボル）を削除することで作られて、不規則的な資源ユニット（１８×５）に他のパイロット構造を形成することができ、規則的な資源ユニットに第１列を複写することによって規則的な資源ユニット（１８×６）の後に追加の列（ＯＦＤＭシンボル）を挿入することで、不規則的な資源ユニット（１８×７）に他のパイロット構造を形成することができる。または規則的な資源ユニット（１８×６）を２つに分け、２つの規則的な資源ユニット（１８×３）の２つの等しいパイロット構造にすることができる。
【００３８】
複数のパイロットルールは、内部ユーザー（ｉｎｔｅｒ−ｕｓｅｒ）の同期エラーを減少するルールを含むこともできる（ルール８またはＲ８）。アップリンク伝送では、マルチユーザーの同期エラーがアップリンクユーザーの資源ユニットの重複を招く可能性がある。例えば、ＷｉＭＡＸシステムプロファイルに基づくと、周波数と時間の同期要求は、それぞれ２％のサブキャリア間隔と±（Ｔｂ／３２）／４より小さい。Ｔｂは、ＯＦＤＭシンボルの時間の長さである。パイロットシンボルを適当に配置して、重複領域の内部パイロットインターフェース（ＩＰＩ）を減少するには、資源ユニットの境界に位置されたパイロットシンボルにねじれ型構造を用いることが望ましい。
【００３９】
また、複数のパイロットルールは、空間多重化または空間／周波数ブロック符号化（ＳＦＢＣ）の統一されたパイロット構造のルールを含むこともできる（ルール９またはＲ９）。ルール９は、パイロットストリームの数が２のべき乗の時、適用することができる。例えば、好ましくは、ＳＦＢＣが送信機で２つまたは４つのアンテナで用いられる時、資源ユニット内の各ＯＦＤＭシンボルのパイロットシンボル数を２のべき乗にすることができる（資源ユニット内のＯＦＤＭシンボルにパイロットシンボルが配置されていないところを含む）。
【００４０】
上述のルール（ルール１〜ルール９）は説明のために挙げられただけで、前記ルールは、変更または除去されることができ、他のルールが加入されることもできる。
【００４１】
複数のパイロットルール（ステップ５０２）を確立した後、または複数のパイロットルールが既に確立されている場合、複数のパイロットルールを得て、プロセッサ２０２が無線チャネルから情報を得ることができる（ステップ５０４）。例えば、プロセッサ２０２は、無線通信規格、資源ユニットの大きさ、パイロット方式、アンテナ数、セクター及び／またはデータストリーム、チャネル構成、ダウンリンク／アップリンクパラメータなどを得ることができる。
【００４２】
また、プロセッサ２０２は、得られた情報に基づいてパイロットルールを選ぶことができる（ステップ５０６）。いくつかの、または全てのルールは、適用されるか、または考慮されるように選ばれることができ、優先順序に沿って処理される。ルールの選択は、例えば既定の算法、実験、及び／またはシミュレーションなどによって、各種の適当な方法に基づいて行われることができる。
【００４３】
プロセッサ２０２は、所望のパイロット構造またはパイロット構造セットを確立するために、選ばれたパイロットルールを評価することもできる（ステップ５０８）。評価は、例えば既定の算法、実験（例えば選択されたパイロットルールまたはほとんどの選択されたパイロットルールがパイロット構造に満たされるかどうかを決定する）、及び／またはシミュレーションなどによって、各種の適当な方法に基づいて行われることができる。
【００４４】
例えば、図６Ａは、１８×６の大きさの資源ユニットに２ストリーム３セクター／セル構造を用いた基地局に設計された代表的なパイロット構造のセットを表示している。３セクター／セル構造は、個別のセルの３つのセクター、３つのそれぞれのセルの３つの個別のセクター、またはセクターとセルの任意の組み合わせに用いられるパイロット構造のセットを指すことができる。
【００４５】
セル／セクター１、セル／セクター２と、セル／セクター３のこのパイロット構造のセットは、次の図表１の概念によって表されることができる。
【００４６】
【表１】
2014079011.tif 000003
【００４７】
表１において、６列は、６つのＯＦＤＭシンボルを表し、１８行は１８個のサブキャリアをそれぞれ表している。図６Ａに示されるように、‘１’は、ストリーム１のパイロットシンボルを表し、‘２’は、ストリーム２のパイロットシンボルを表し、‘０’は、例えばデータシンボルなどのパイロットシンボルがないことを表している。
【００４８】
図６Ｂと６Ｃは、パイロットシンボルとデータシンボルがどのように２ストリーム伝送の各２つのストリームに対して個別にパイロット構造で、２つのストリーム（またはアンテナ）から伝送された資源ユニットに配置されるかを更に表している。また特に、図６Ｂと６Ｃに図示されたパイロット構造は、２ストリーム３セクター／セル構成のための第１ストリームと第２ストリームに伝送するためにそれぞれ用いられることができる。注意するのは、“×”は、ゼロシンボルを表しており、これは、伝送のための時間−周波数リソースグリッドに配置されるデータまたはパイロットがないということを示している。しかし、一般性の喪失なく以下の説明を簡素化するために、図６Ａの説明を用いて個別のストリームを説明することなく（特に強調することがなければ、これは本実施形態に挙げた全てのパイロット構造に適用する）、図６Ｂと６Ｃに示されたパイロット構造を説明する。よって、ここに挙げた全ての実施形態は、簡素化の目的のために説明が省力された場合でも、全ての個別のストリームに対して全ての関連性のあるパイロット構造を含んでいる。
【００４９】
図６Ｄは、１８×６の大きさの資源ユニットに単一ストリーム３セクター／セル構成を用いた基地局に設計された代表的なパイロット構造のセットを表示している。セル／セクター１、セル／セクター２と、セル／セクター３のこのパイロット構造のセットは、次の図表２のようにそれぞれ表されることができる。
【００５０】
【表２】
2014079011.tif 000004
【００５１】
図６Ｅは、１８×５の大きさの資源ユニットに２ストリーム３セクター／セル構成を用いた基地局に設計された代表的なパイロット構造のセットを表示している。セル／セクター１、セル／セクター２と、セル／セクター３のこのパイロット構造のセットは、次の図表３のようにそれぞれ表されることができる。
【００５２】
【表３】
2014079011.tif 000005
【００５３】
図６Ｆは、１８×７の大きさの資源ユニットに２ストリーム３セクター／セル構成を用いた基地局に設計された代表的なパイロット構造のセットを表示している。セル／セクター１、セル／セクター２と、セル／セクター３のこのパイロット構造のセットは、次の図表４のようにそれぞれ表されることができる。
【００５４】
【表４】
2014079011.tif 000006
【００５５】
図６Ｇは、１８×５の大きさの資源ユニットに単一ストリーム３セクター／セル構造を用いた基地局に設計された代表的なパイロット構造のセットを表示している。セル／セクター１、セル／セクター２と、セル／セクター３のこのパイロット構造のセットは、次の図表５のようにそれぞれ表されることができる。
【００５６】
【表５】
2014079011.tif 000007
【００５７】
図６Ｈは、１８×７の大きさの資源ユニットに単一ストリーム３セクター／セル構成を用いた基地局に設計された代表的なパイロット構造のセットを表示している。セル／セクター１、セル／セクター２と、セル／セクター３のこのパイロット構造のセットは、次の図表６のようにそれぞれ表されることができる。
【００５８】
【表６】
2014079011.tif 000008
【００５９】
ルール３以外の上述の全てのルールは満たされる（ルール３は、部分的に満たされる）。ルール１は、単一ストリームと２ストリーム構成の１８×６資源ユニット内にストリーム毎に６つのパイロットがあるため、満たされる。ルール２は、時間領域のパイロット空間が３つのＯＦＤＭシンボルで周波数領域のパイロット空間が８つのサブキャリアであるため、例えば、３５０ｋｍ／ｈまでの移動速度と５μｓを超えないチャネル遅延スプレッドを支援することができる。ルール３は、全てのパイロットが時間領域と周波数領域（図６Ｂと図６Ｃを参照）の両方の資源ユニット境界に配置されるわけではないため、部分的に満たされる。ルール４は、互いに交差されたパイロット構造が異なるセクター／セルに考慮されるため、パイロット衝突が回避されることができ、満たされる。ルール５は、資源ユニット内の各ＯＦＤＭシンボルのパイロットストリームとパイロットシンボルが均一に配置されるため、シンボル毎の電力変動が回避されることができ、満たされる。ルール６は、ストリーム（アンテナ）毎に６パイロットシンボルが配置されるため、異なるアンテナ全域にわたる電力変動が回避されることができ、満たされる。ルール７は、図６Ｅに示されるように、パイロット構造が１８×６資源ユニットから最後のドメイン列（ＯＦＤＭシンボル）を削除することで作られるため、１８×５資源ユニットにパイロット構造を形成することができ、満たされる。一方、１８×７資源ユニットでいえば、図６Ｆに示されるように、パイロット構造は、１８×６資源ユニットの後に追加の列（ＯＦＤＭシンボル）を挿入、または１８×６資源ユニットに第１列を複製することで１８×７資源ユニットにパイロット構造を形成することができる。単一ストリームのパイロット構造でいえば、ルール７も満たされる（図６Ｇと６Ｈに示される）。ルール８は、周波数領域の資源ユニットの境界上のパイロットシンボルが周波数の隣接する資源ユニットの他のパイロットシンボルに接触しないため、ＩＰＩが回避されることができる。ルール９は資源ユニット内の各ＯＦＤＭシンボル上のパイロットシンボルが２ストリーム伝送の２（２の電力）であるため、満たされる。注意するのは、他に説明がない限り、全ての挙げられたパイロット構造でいえば、ルール１、２、６と、９は満たされるが、ルール３は部分的に満たされる。
【００６０】
図７Ａと７Ｆは、１８×６資源ユニットの大きさの４ストリームと３ストリーム構成を用いる基地局のために設計された複数の代表的なパイロット構造をそれぞれ表している。図７Ｂ〜７Ｅは、個別の４ストリーム伝送のストリームの第１、第２、第３と、第４ストリームで伝送されたパイロット構造をそれぞれ表しており、図７Ｇ〜７Ｉは、個別の３ストリーム伝送のストリームの第１、第２と、第３ストリームで伝送されたパイロット構造をそれぞれ表している。図７Ｊと７Ｌは、１８×５の資源ユニットの大きさの４ストリームと３ストリーム構成を用いる基地局のために設計された複数の代表的なパイロット構造をそれぞれ表している。図７Ｋと７Ｍは、１８×７の資源ユニットの大きさの４ストリームと３ストリーム構成を用いる基地局のために設計された複数の代表的なパイロット構造をそれぞれ表している。
【００６１】
図７Ａと７Ｆに示されるように、４ストリームパイロットシンボル（パイロット１、パイロット２、パイロット３と、パイロット４）と３ストリームパイロットシンボル（パイロット１、パイロット２と、パイロット３）は、１８×６資源ユニットにそれぞれ挿入される。単一のパイロット構造のみが提供されるため、異なるセル／セクターに用いられる交差したパイロット構造がない。しかし特定の他のパイロットルールが満たされる。例えば、ルール５は、資源ユニット内の各ＯＦＤＭシンボルのパイロットシンボル数が実質的に同じであるため、部分的に満たされる。この場合のルール７でいえば、図７Ｊと図７Ｌに示されるように１８×６資源ユニットから中央の時間領域列（ＯＦＤＭシンボル）（即ち第３または第４列）をそれぞれ直接削除することで１８×５資源ユニットと１８×７資源ユニットに他のパイロット構造を形成し、図７Ｋと図７Ｍに示されるように、１８×６資源ユニットの後の資源ユニット内にパイロットシンボルのない追加の時間領域列（ＯＦＤＭシンボル）を挿入することが望ましい。また、ルール８は、資源ユニットの境界に位置されたパイロットシンボルへのねじれ形構造が考慮されないため、満たされない。図７Ａと７Ｆのパイロット構造は、次の図表７のようにそれぞれ表されることができる。
【００６２】
【表７】
2014079011.tif 000009
【００６３】
列は、ＯＦＤＭシンボルを表し、行はサブキャリアを表しており、‘１’は、ストリーム１のパイロットシンボルを表し、‘２’は、ストリーム２のパイロットシンボルを表し、‘３’は、ストリーム３のパイロットシンボルを表し、‘４’は、ストリーム４のパイロットシンボルを表し、‘０’は、例えばデータシンボルなどのパイロットシンボルがないことを表している。
【００６４】
図７Ｊと７Ｌのパイロット構造は、次の図表８のようにそれぞれ表されることができる。
【００６５】
【表８】
2014079011.tif 000010
【００６６】
図７Ｋと７Ｍのパイロット構造は、次の図表９のようにそれぞれ表されることができる。
【００６７】
【表９】
2014079011.tif 000011
【００６８】
図８Ａと８Ｂは、１８×６資源ユニットの大きさの４ストリーム３セクター／セルと３ストリーム３セクター／セル構成を用いる基地局のために設計された他の代表的なパイロット構造セットをそれぞれ表している。図８Ａと図８Ｂに示されるように、４ストリームパイロットシンボル（パイロット１、パイロット２、パイロット３と、パイロット４）と３ストリームパイロットシンボル（パイロット１、パイロット２と、パイロット３）は、１８×６資源ユニットにそれぞれ挿入される。ルール４は、パイロット構造が異なるセクター／セルに対して交差されるため、満たされる。ルール５は、資源ユニット内の各ＯＦＤＭシンボルのパイロットシンボル数が実質的に同じであるため、部分的に満たされる。また、ルール８は、重複領域のＩＰＩが回避されるため、満たされる。
【００６９】
図８Ａのセル／セクター１、セル／セクター２と、セル／セクター３のパイロット構造は、次の図表１０のようにそれぞれ表されることができる。
【００７０】
【表１０】
2014079011.tif 000012
【００７１】
図８Ｂのセル／セクター１、セル／セクター２と、セル／セクター３のパイロット構造は、次の図表１１のようにそれぞれ表されることができる。
【００７２】
【表１１】
2014079011.tif 000013
【００７３】
図９Ａと９Ｂは、１８×６資源ユニットの大きさの４ストリーム３セクター／セルと３ストリーム３セクター／セル構成を用いる基地局のために設計された他の代表的なパイロット構造セットをそれぞれ表している。図９Ａと図９Ｂに示されるように、４ストリームパイロットシンボル（パイロット１、パイロット２、パイロット３と、パイロット４）と３ストリームパイロットシンボル（パイロット１、パイロット２と、パイロット３）は、１８×５資源ユニットにそれぞれ挿入される。ルール４は、パイロット構造が異なるセクター／セルに対して交差されるため、満たされる。ルール５は、資源ユニット内の各ＯＦＤＭシンボルのパイロットシンボル数が実質的に同じであるため、部分的に満たされる。ルール７は、パイロット構造が規則的な資源ユニット（１８×６）から最後のドメイン列（ＯＦＤＭシンボル）を削除することで作られるため、不規則的な資源ユニット（１８×５）に他のパイロット構造を形成することができ、満たされる。また、ルール８は、重複領域のＩＰＩが回避されるため、満たされる。注意するのは、パイロットオーバーヘッドは、異なるセル／セクターに伴って実質的に異なることができ、セル／セクターのチャネル推定の精度に、基本的バイアス（ｅｓｓｅｎｔｉａｌ ｂｉａｓ）を存在させる。
【００７４】
図９Ａのセル／セクター１、セル／セクター２と、セル／セクター３のパイロット構造は、次の図表１２のようにそれぞれ表されることができる。
【００７５】
【表１２】
2014079011.tif 000014
【００７６】
図９Ｂのセル／セクター１、セル／セクター２と、セル／セクター３のパイロット構造は、次の図表１３のようにそれぞれ表されることができる。
【００７７】
【表１３】
2014079011.tif 000015
【００７８】
図１０Ａと１０Ｂは、１８×６資源ユニットの大きさの４ストリーム３セクター／セルと３ストリーム３セクター／セル構成を用いる基地局のために設計された他の代表的なパイロット構造セットをそれぞれ表している。図１０Ａと図１０Ｂに示されるように、４ストリームパイロットシンボル（パイロット１、パイロット２、パイロット３と、パイロット４）と３ストリームパイロットシンボル（パイロット１、パイロット２と、パイロット３）は、１８×５資源ユニットにそれぞれ挿入される。ルール４は、セクター／セル２（左側底部の角）とセクター／セル３（右側上部の角）に挿入された追加のパイロットシンボルにより、異なるセクター／セルのいくつかのパイロット信号にパイロット衝突が生じるため、部分的に満たされる。また、ルール５は、資源ユニット内の各ＯＦＤＭシンボルのパイロットシンボル数が実質的に同じであるため、部分的に満たされる。ルール７は、パイロット構造が規則的な資源ユニット（１８×６）から最後のドメイン列（ＯＦＤＭシンボル）を削除することで作られるため、不規則的な資源ユニット（１８×５）に他のパイロット構造を形成することができ、満たされる。また、ルール８は、重複領域のＩＰＩが回避されるため、満たされる。
【００７９】
図１０Ａのセル／セクター１、セル／セクター２と、セル／セクター３のパイロット構造は、次の図表１４のようにそれぞれ表されることができる。
【００８０】
【表１４】
2014079011.tif 000016
【００８１】
図１０Ｂのセル／セクター１、セル／セクター２と、セル／セクター３のパイロット構造は、次の図表１５のようにそれぞれ表されることができる。
【００８２】
【表１５】
2014079011.tif 000017
【００８３】
図１１Ａと１１Ｂは、１８×６資源ユニットの大きさの４ストリーム３セクター／セルと３ストリーム３セクター／セル構成を用いる基地局のために設計された他の代表的なパイロット構造セットをそれぞれ表している。図１１Ａと図１１Ｂに示されるように、４ストリームパイロットシンボル（パイロット１、パイロット２、パイロット３と、パイロット４）と３ストリームパイロットシンボル（パイロット１、パイロット２と、パイロット３）は、１８×５資源ユニットにそれぞれ挿入される。図９Ａ（及び図９Ｂ）と図１１Ａ（及び図１１Ｂ）に示された構成を比べると、図１１Ａ（及び図１１Ｂ）に示されたパイロット構造は、図９Ａ（及び９Ｂ）からのセクター／セル１の資源ユニットを有する第１列（ＯＦＤＭシンボル）のパイロットシンボルが図１１Ａ（及び図１１Ｂ）から取り除かれる以外は、図９Ａ（及び図９Ｂ）に示された構造に類似している。よって、図９Ａ（及び図９Ｂ）が有する特性は、図１１Ａ（及び図１１Ｂ）にも所有されることができる。また、図１１Ａ（及び図１１Ｂ）に示されたパイロット構造のパイロットオーバーヘッドは、全てのセル／セクターで同じである。
【００８４】
図１１Ａのセル／セクター１、セル／セクター２と、セル／セクター３のパイロット構造は、次の図表１６のようにそれぞれ表されることができる。
【００８５】
【表１６】
2014079011.tif 000018
【００８６】
図１１Ｂのセル／セクター１、セル／セクター２と、セル／セクター３のパイロット構造は、次の図表１７のようにそれぞれ表されることができる。
【００８７】
【表１７】
2014079011.tif 000019
【００８８】
図１２Ａと１２Ｂは、１８×７資源ユニットの大きさの４ストリーム３セクター／セルと３ストリーム３セクター／セル構成を用いる基地局のために設計された他の代表的なパイロット構造セットをそれぞれ表している。図１２Ａと図１２Ｂに示されるように、４ストリームパイロットシンボル（パイロット１、パイロット２、パイロット３と、パイロット４）と３ストリームパイロットシンボル（パイロット１、パイロット２と、パイロット３）は、１８×７資源ユニットにそれぞれ挿入される。ルール４は、パイロット構造が異なるセクター／セルに対して交差されるため、満たされる。ルール５は、資源ユニット内の各ＯＦＤＭシンボルのパイロットシンボル数が実質的に同じであるため、部分的に満たされる。ルール７は、パイロット構造が追加の列（ＯＦＤＭシンボル）を規則的な資源ユニット（１８×６）の後に挿入することで、または規則的な資源ユニットに第１列を複製することで作られるため、不規則的な資源ユニット（１８×７）に他のパイロット構造を形成することができ、満たされる。また、ルール８は、重複領域のＩＰＩが回避されるため、満たされる。また、パイロットオーバーヘッドは、異なるセル／セクターに伴って実質的に異なることができ、異なるセル／セクターのチャネル推定の精度に、基本的バイアス（ｅｓｓｅｎｔｉａｌ ｂｉａｓ）を作ることができる。
【００８９】
図１２Ａのセル／セクター１、セル／セクター２と、セル／セクター３のパイロット構造は、次の図表１８のようにそれぞれ表されることができる。
【００９０】
【表１８】
2014079011.tif 000020
【００９１】
図１２Ｂのセル／セクター１、セル／セクター２と、セル／セクター３のパイロット構造は、次の図表１９のようにそれぞれ表されることができる。
【００９２】
【表１９】
2014079011.tif 000021
【００９３】
図１３Ａと１３Ｂは、１８×６資源ユニットの大きさの４ストリーム３セクター／セルと３ストリーム３セクター／セル構成を用いる基地局のために設計された他の代表的なパイロット構造セットをそれぞれ表している。図１３Ａと図１３Ｂに示されるように、４ストリームパイロットシンボル（パイロット１、パイロット２、パイロット３と、パイロット４）と３ストリームパイロットシンボル（パイロット１、パイロット２と、パイロット３）は、１８×７資源ユニットにそれぞれ挿入される。ルール４は、セクター／セル２（左側底部と右側上部の角）に挿入された追加のパイロットシンボルにより、異なるセクター／セルのいくつかのパイロット信号にパイロット衝突が生じるため、部分的に満たされる。ルール５は、資源ユニット内の各ＯＦＤＭシンボルのパイロットシンボル数が部分的に同じであるため、部分的に満たされる。ルール７は、セクター／セル２のパイロット構造がその後の１８×５資源ユニットの列（ＯＦＤＭシンボル）を複製することで作られず、１８×７資源ユニットにパイロット構造を形成するため、部分的に満たされる。また、ルール８は、重複領域のＩＰＩが回避されるため、満たされる。
【００９４】
図１３Ａのセル／セクター１、セル／セクター２と、セル／セクター３のパイロット構造は、次の図表２０のようにそれぞれ表されることができる。
【００９５】
【表２０】
2014079011.tif 000022
【００９６】
図１３Ｂのセル／セクター１、セル／セクター２と、セル／セクター３のパイロット構造は、次の図表２１のようにそれぞれ表されることができる。
【００９７】
【表２１】
2014079011.tif 000023
【００９８】
図１４Ａと１４Ｂは、１８×６資源ユニットの大きさの４ストリーム３セクター／セルと３ストリーム３セクター／セル構成を用いる基地局のために設計された他の代表的なパイロット構造セットをそれぞれ表している。図１４Ａと図１４Ｂに示されるように、４ストリームパイロットシンボル（パイロット１、パイロット２、パイロット３と、パイロット４）と３ストリームパイロットシンボル（パイロット１、パイロット２と、パイロット３）は、１８×７資源ユニットにそれぞれ挿入される。図１２Ａ（及び図１２Ｂ）と図１４Ａ（及び図１４Ｂ）に示された２つの構成を比べると、図１４Ａ（及び図１４Ｂ）に示された構成のパイロット構造は、図１２Ａ（及び１２Ｂ）に示されたセクター／セル１の資源ユニットを有する第１列（ＯＦＤＭシンボル）のパイロットシンボルとセクター／セル３の資源ユニットを有する最後の１列（ＯＦＤＭシンボル）のパイロットシンボルが図１４Ａ（及び図１４Ｂ）から取り除かれる以外は、図１２Ａ（及び図１２Ｂ）に示された構造に類似している。よって、図１２Ａ（及び図１２Ｂ）に示されたパイロット構造が有する特性は、図１４Ａ（及び図１４Ｂ）にも所有されることができる。しかし、図１４Ａ（及び図１４Ｂ）に示されるように、パイロットオーバーヘッドは、全てのセル／セクターで同じであるため、ルール７は、部分的に満たされる。
【００９９】
図１４Ａのセル／セクター１、セル／セクター２と、セル／セクター３のパイロット構造は、次の図表２２のようにそれぞれ表されることができる。
【０１００】
【表２２】
2014079011.tif 000024
【０１０１】
図１４Ｂのセル／セクター１、セル／セクター２と、セル／セクター３のパイロット構造は、次の図表２３のようにそれぞれ表されることができる。
【０１０２】
【表２３】
2014079011.tif 000025
【０１０３】
図１５Ａ、１５Ｂ、１５Ｃと、１５Ｄは、６×６資源ユニットの大きさの４ストリーム、単一ストリーム、２ストリームと、３ストリーム３セクター／セル構成を用いる基地局のために設計された複数の代表的なパイロット構造セットをそれぞれ表している。図１５Ａ、１５Ｂ、１５Ｃと、１５Ｄに示されるように、４ストリーム（パイロット１、パイロット２、パイロット３と、パイロット４）、単一ストリーム、２ストリーム（パイロット１とパイロット２）と、３ストリーム（パイロット１、パイロット２と、パイロット３）パイロットシンボルは、６×６資源ユニットにそれぞれ挿入される。６×６資源ユニットの特定の大きさにより、パイロット密度ルール（ルール１）は、上述の実施形態と異なって再設計されることができる。例えば、６×６資源ユニットでは、パイロット密度（オーバーヘッド）により、ストリーム毎に多くて４つのパイロットシンボルが用いられることができる。ルール４は、パイロット構造が単一ストリーム（図１５Ｂ）と２ストリーム（図１５Ｃ）構成のみに異なるセクター／セルで交差されるため、部分的に満たされる。３ストリーム（図１５Ｄ）と４ストリーム（図１５Ａ）構成には、パイロット衝突がいくつかのパイロットシンボルで生じる可能性がある。ルール５は、資源ユニット内の各ＯＦＤＭシンボルのパイロットシンボル数が部分的に同じであるため、部分的に満たされる。また、ルール８は、単一ストリームと２ストリーム構成には満たされるが３ストリームと４ストリーム構成には満たされない可能性がある。
【０１０４】
図１５Ａのセル／セクター１、セル／セクター２と、セル／セクター３のパイロット構造は、次の図表２４のようにそれぞれ表されることができる。
【０１０５】
【表２４】
2014079011.tif 000026
【０１０６】
図１５Ｂのセル／セクター１、セル／セクター２と、セル／セクター３のパイロット構造は、次の図表２５のようにそれぞれ表されることができる。
【０１０７】
【表２５】
2014079011.tif 000027
【０１０８】
図１５Ｂのセル／セクター１、セル／セクター２と、セル／セクター３のパイロット構造は、次の図表２６のようにそれぞれ表されることができる。
【０１０９】
【表２６】
2014079011.tif 000028
【０１１０】
図１５Ｄのパイロット構造は、次の図表２７のようにそれぞれ表されることができる。
【０１１１】
【表２７】
2014079011.tif 000029
【０１１２】
図１５Ｅ、１５Ｆ、１５Ｇと、１５Ｈは、６×６資源ユニットの大きさの４ストリーム、単一ストリーム、２ストリームと、３ストリーム３セクター／セル構成を用いる基地局のために設計された複数の代表的なパイロット構造をそれぞれ表している。図１５Ｅ、１５Ｆ、１５Ｇと、１５Ｈに示されるように、４ストリーム（パイロット１、パイロット２、パイロット３と、パイロット４）、単一ストリーム、２ストリーム（パイロット１とパイロット２）と、３ストリーム（パイロット１、パイロット２と、パイロット３）パイロットシンボルは、６×６資源ユニットにそれぞれ挿入され、単一パイロット構造は、図１５Ｅ、１５Ｆ、１５Ｇと、１５Ｈに示される各構成に用いられる。また、図１５Ｉと図１５Ｊは、図１５Ｇに示される２ストリーム伝送の個別のストリームのための第１と第２ストリームに伝送されたパイロット構造をそれぞれ表している。
【０１１３】
ルール１に関して、６×６資源ユニットには、ストリーム毎に多くて４つのパイロットシンボルが用いられることができる。また小サイズの資源ユニット（６×６）により、ルール４は、６×６資源ユニットには、考慮されないことができる。ルール５も資源ユニット内の各ＯＦＤＭシンボルのパイロットシンボル数が部分的に同じであるため、部分的に満たされる。また、ルール８は、単一ストリームと２ストリーム構成には満たされるが３ストリームと４ストリーム構成には満たされない可能性がある。
【０１１４】
図１５Ｅの全てのセル／セクターのパイロット構造は、次の図表２８のように表されることができる。
【０１１５】
【表２８】
2014079011.tif 000030
【０１１６】
図１５Ｆの全てのセル／セクターのパイロット構造は、次の図表２９のように表されることができる。
【０１１７】
【表２９】
2014079011.tif 000031
【０１１８】
図１５Ｇの全てのセル／セクターのパイロット構造は、次の図表３０のように表されることができる。
【０１１９】
【表３０】
2014079011.tif 000032
【０１２０】
図１５Ｈの全てのセル／セクターのパイロット構造は、次の図表３１のように表されることができる。
【０１２１】
【表３１】
2014079011.tif 000033
【０１２２】
図１６Ａ、１６Ｂ、１６Ｃと、１６Ｄは、６×６資源ユニットの大きさの４ストリーム、単一ストリーム、２ストリームと、３ストリーム３セクター／セル構成を用いる基地局のために設計された複数の代表的なパイロット構造をそれぞれ表している。図１６Ａ、１６Ｂ、１６Ｃと、１６Ｄに示されるように、４ストリーム（パイロット１、パイロット２、パイロット３と、パイロット４）、単一ストリーム、２ストリーム（パイロット１とパイロット２）と、３ストリーム（パイロット１、パイロット２と、パイロット３）パイロットシンボルは、６×５資源ユニットにそれぞれ挿入される。ルール１に関して、６×５資源ユニットには、ストリーム毎に多くて４つのパイロットシンボルが用いられることができる。また小サイズの資源ユニット（６×５）により、ルール４は、６×５資源ユニットには、考慮されないことができる。ルール５も資源ユニット内の各ＯＦＤＭシンボルのパイロットシンボル数が部分的に同じであるため、部分的に満たされる。しかし、ルール７は、６×５の大きさの資源ユニットのパイロット構造が６×６資源ユニットから中央の時間領域列（ＯＦＤＭシンボル）（即ち第３または第４列）を削除することで形成されるため、満たされない。また、ルール８は、単一ストリームと２ストリーム構成には満たされるが３ストリームと４ストリーム構成には満たされない。
【０１２３】
図１６Ａの全てのセル／セクターのパイロット構造は、次の図表３２のように表されることができる。
【０１２４】
【表３２】
2014079011.tif 000034
【０１２５】
図１６Ｂの全てのセル／セクターのパイロット構造は、次の図表３３のように表されることができる。
【０１２６】
【表３３】
2014079011.tif 000035
【０１２７】
図１６Ｃの全てのセル／セクターのパイロット構造は、次の図表３４のように表されることができる。
【０１２８】
【表３４】
2014079011.tif 000036
【０１２９】
図１６Ｄの全てのセル／セクターのパイロット構造は、次の図表３５のように表されることができる。
【０１３０】
【表３５】
2014079011.tif 000037
【０１３１】
次の説明では、３ストリーム、２ストリーム、単一ストリームのパイロット構造は、４ストリームパイロット構造から第４ストリーム、第４と第３ストリームと、第４、第３と、第２ストリームのパイロットシンボルをそれぞれ除去することで４ストリームパイロット構造から得られることができる。除去されたパイロットシンボルの空間は、データ伝送用に配置されることができる。よって、単一ストリーム、２ストリームと、３ストリーム構成は、その説明は以下簡素化するために省略されるが、ここに開示される。
【０１３２】
図１７は、４ストリーム３セクター／セル構成を用いる基地局のために設計された代表的なパイロット構造セットと異なる大きさの資源ユニットにこれらの統一したパイロット構造を作る代表的なステップも表している。図１７に示されるように、１８×６の大きさの資源ユニットが用いられ、４つのタイプのパイロットシンボル（パイロット１、パイロット２、パイロット３と、パイロット４）が１８×６資源ユニットに挿入される。パイロットクラスタ、即ちパイロットシンボルのグループは、これらの統一したパイロット構造を作るのに用いられることができる。
【０１３３】
図１７に示されるように、２×２（２ストリーム構成で２×１の大きさ。図示されていない）のパイロットクラスタの大きさが用いられている。注意するのは、１つの資源ユニットの中に１つのパイロットクラスタのみが表されているが、同じクラスタの大きさが同じ資源ユニットに用いられ、資源ユニット内の全てのパイロットシンボルを同じ大きさのクラスタに集めている。また、図１７に示されるように、異なるセル及び／または異なる大きさのパイロット構造が共通のパイロット構造から作られることができる。例えば、１８×５の大きさの資源ユニットのパイロット構造は、資源ユニット内の時間領域の最後の列（ＯＦＤＭシンボル）を削除することで作られることができ、セクター／セル２に示されるように１８×５資源ユニットのパイロット構造を作る。また例えば、１８×７の大きさの資源ユニットのパイロット構造は、新しい１８×７資源ユニットの最後の列として、資源ユニット内の時間領域の第１列（ＯＦＤＭシンボル）をコピーすることで作られることができ、セクター／セル３に示されるように、１８×７資源ユニットのパイロット構造を作る。よってルール７は満たされる。
【０１３４】
また、図１７（図１８〜２２でも）では、ストリーム毎のパイロットシンボルの数は、６であり、よってパイロットオーバーヘッドは、単一ストリーム、２ストリーム、３ストリームと、４ストリーム構成では、それぞれ５.５６％、１１.１１％、１６.６７％と、２２.２２％である。ルール３は、パイロットシンボルが資源ユニットの境界付近に、または境界上に部分的にしか配置されないため、実質的に満たされていない。
【０１３５】
１８×６、１８×５と、１８×７資源ユニットのこれらの統一されたパイロット構造では、ルール４は、パイロット構造が異なるセクター／セルで交差されるため（即ち、セクター／セル１のパイロットパターンからセクター／セル２のパイロットパターンに向けた矢印で示され、セクター／セル２のパイロットパターンの囲まれた列で示された２つのＯＦＤＭシンボルで１８×６資源ユニットのパイロットクラスタを周期的にシフトすることによって、またはセクター／セル１のパイロットパターンからセクター／セル２のパイロットパターンとセクター／セル３のパイロットパターンに向けた矢印で示された２つのＯＦＤＭシンボルで１８×６資源ユニットのパイロットクラスタを２度周期的にシフトすることによって）、満たされる。他の方法も用いられることができる。ルール５は、パイロットシンボルが資源ユニット内の各ＯＦＤＭシンボルに均一に配置されるため、満たされる（しかし、単一ストリーム、２ストリームと、３ストリーム構成では満たされない）。図７は、上述のように満たされる。ルール８は、重複領域のＩＰＩが回避されるため、満たされる。
【０１３６】
図１８と図１９は、４ストリーム３セクター／セル構成を用いる基地局のために設計された代表的なパイロット構造セットと異なる大きさの資源ユニットにこれらの統一したパイロット構造を作る代表的なステップも表している。図１８と図１９に示されるように、１８×６の大きさの資源ユニットが用いられ、４つのタイプのパイロットシンボル（パイロット１、パイロット２、パイロット３と、パイロット４）が１８×６資源ユニットに挿入され、３×２（２ストリーム構成で３×１の大きさ。図示されていない）のパイロットクラスタの大きさが用いられている。図１７に示される構成に類似して、ルール４〜８は、図１８と図１９に示された構成で満たされる。
【０１３７】
図２０は、４ストリーム３セクター／セル構成を用いた基地局のために設計された他の代表的なパイロット構造セットと異なる大きさの資源ユニットにこれらの統一したパイロット構造を作る代表的なステップも表している。図２０に示されるように、１８×６の大きさの資源ユニットが用いられ、４つのタイプのパイロットシンボル（パイロット１、パイロット２、パイロット３と、パイロット４）が１８×６資源ユニットに挿入される。図２０に示されるように、２×２（２ストリーム構成で２×１の大きさ。図示されていない）の大きさのパイロットクラスタが用いられている。
【０１３８】
また、図２０に示されるように、パイロットクラスタ（セクター／セル１、セクター／セル２と、セクター／セル３の資源ユニットで囲まれていないパイロットクラスタとして示されている）の下半分の資源ユニット内の列（ＯＦＤＭシンボル）は、交換される。即ち、パイロットクラスタの列及び／または行は、特定の方式で換えられる。例えば、セクター／セル１の資源ユニットの囲まれていないパイロットクラスタでは、パイロット１とパイロット２を含む列は、パイロット３とパイロット４を含む列と交換される。しかし、他の交換方式も用いられることができる。交換されたパイロットシンボルは、単一ストリーム、２ストリームと、３ストリーム構成のパイロット（ルール５）の電力ブーストを改善することができる。図１７に示された構成に類似して、ルール４〜８は、図２０に示された構成で満たされる。
【０１３９】
図２１と図２２は、４ストリーム３セクター／セル構成を用いる基地局のために設計された代表的なパイロット構造セットと異なる大きさの資源ユニットにこれらの統一したパイロット構造を作る代表的なステップも表している。図２１と図２２に示されるように、１８×６の大きさの資源ユニットが用いられ、４つのタイプのパイロットシンボル（パイロット１、パイロット２、パイロット３と、パイロット４）が１８×６資源ユニットに挿入される。
【０１４０】
図２１に示されるように３×２（２ストリーム構成で３×１の大きさ。図示されていない）の大きさのパイロットクラスタが用いられ、パイロットクラスタ（セクター／セル１、セクター／セル２と、セクター／セル３の資源ユニットで囲まれていないパイロットクラスタとして示されている）の下半分の資源ユニット内の列は、交換される。図２２に示されるように６×２（２ストリーム構成で６×１の大きさ。図示されていない）の大きさのパイロットクラスタが用いられ、パイロットクラスタ（セクター／セル１、セクター／セル２と、セクター／セル３の資源ユニットで囲まれていないパイロットクラスタとして示されている）の半分の資源ユニット内の列は、交換される。図２０に示された構成に類似して、ルール４〜８は、図２１と図２２に示された構成で満たされる。
【０１４１】
図２３Ａ及び図２３Ｂは、隣接した資源ユニットに基づいた４ストリーム３セクター／セル構成を用いる基地局のために設計された代表的なパイロット構造セットと異なる大きさの資源ユニットにこれらの統一したパイロット構造を作る代表的なステップも表している。ここで用いられる隣接した資源ユニットは、セクターによってまたはセルによって順次に用いられる一連の資源ユニットを指す。例えば図２３Ａ及び図２３Ｂは、各セクター／セル１、セクター／セル２と、セクター／セル３の隣接した資源ユニット（複数の隣接した資源ユニットをそれぞれ含む）を表している。
【０１４２】
図２３Ａ及び図２３Ｂに示されるように、１８×６の大きさの資源ユニットが用いられ、４つのタイプのパイロットシンボル（パイロット１、パイロット２、パイロット３と、パイロット４）が１８×６資源ユニットに挿入される。４つのタイプのパイロットシンボル（パイロットＡ、パイロットＢ、パイロットＣと、パイロットＤ）は、隣接した資源ユニットの境界にも用いられる。パイロットＡは、パイロット１と同じパターン、または異なるパターンであることができ、パイロットＢは、パイロット２と同じパターン、または異なるパターンであることができ、パイロットＣは、パイロット３と同じパターン、または異なるパターンであることができ、パイロットＤは、パイロット４と同じパターン、または異なるパターンであることができる。図２３Ａ及び図２３Ｂに示されるように２×２（２ストリーム構成で２×１の大きさ。図示されていない）の大きさのパイロットクラスタが用いられる。
【０１４３】
複数の隣接した資源ユニットの個別の資源ユニットの操作、例えばパイロットクラスタリング（ｐｉｌｏｔ ｃｌｕｓｔｅｒｉｎｇ）、周期的シフト（ｃｙｃｌｉｃａｌｌｙ ｓｈｉｆｔｉｎｇ）、削除及び／またはコピーなどは、図１７で述べたのと同じであることができる。また、複数の隣接した資源ユニットの境界に３つのパイロットシンボル（例えばパイロットＡ、パイロットＢ、パイロットＣと、パイロットＤ）のクラスタが挿入される。境界に挿入されたパイロットシンボルは、チャネル推定の外挿を回避し、チャネル推定の精度を向上させる。
【０１４４】
また図２３Ａ及び図２３Ｂに示されるように、複数の隣接した１８×５資源ユニットのパイロット構造は、複数の隣接した１８×６資源ユニット内の最後のＯＦＤＭシンボルを削除することで作られることができ、１８×５資源ユニットのパイロット構造を作る。また、複数の隣接した１８×７資源ユニットのパイロット構造は、新しい１８×７資源ユニットの最後の列として、複数の隣接した１８×６資源ユニット内の第１ＯＦＤＭシンボルをコピーすることで作られることができ、１８×７資源ユニットのパイロット構造を作る。よって、ルール７は、満たされる。他の方法も用いられることができる。
【０１４５】
図２３Ａ及び図２３Ｂ（図２４Ａ及び図２４Ｂと図２５Ａ及び図２５Ｂでも）では、ストリーム毎のパイロットシンボルの数は、６より大きく、よってパイロットオーバーヘッドは、単一ストリーム、２ストリーム、３ストリームと、４ストリーム構成では、それぞれ５.５６％、１１.１１％、１６.６７％と、２２.２２％より大きい。ルール３は、パイロットシンボルが資源ユニットの境界付近に、または境界上に配置されるため、実質的に満たされる。ルール４は、パイロット構造が異なるセクター／セルで交差されるが（即ち例えば２つのＯＦＤＭシンボルによって時間領域でパイロットクラスタをシフトすることで）、境界パイロットはシフトされず、パイロット衝突がいくつかの境界パイロットで生じる可能性があるため、部分的に満たされる。ルール５は、パイロットシンボルが各ＯＦＤＭシンボルに実質的に均一に配置されるため、満たされる。ルール８は、境界パイロットが挿入された後、ＩＰＩが誘発される可能性があるため、部分的に満たされる。
【０１４６】
図２４Ａ及び図２４Ｂは、隣接した資源ユニットに基づいた４ストリーム３セクター／セル構成を用いる基地局のために設計された他の代表的なパイロット構造セットと異なる大きさの資源ユニットにこれらの統一したパイロット構造を作る代表的なステップも表している。図２４Ａ及び図２４Ｂに示されるように、パイロット構造のセットは、３×２（２ストリーム構成で３×１の大きさ。図示されていない）の大きさのパイロットクラスタが用いられる以外は、図２３Ａ及び図２３Ｂに示されたのと同じである。
【０１４７】
図２５Ａ及び図２５Ｂは、隣接した資源ユニットに基づいた４ストリーム３セクター／セル構成を用いる基地局のために設計された他の代表的なパイロット構造セットと異なる大きさの資源ユニットにこれらの統一したパイロット構造を作る代表的なステップも表している。図２５Ａ及び図２５Ｂに示されるように、パイロット構造のセットは、６×２（２ストリーム構成で３×１の大きさ。図示されていない）の大きさのパイロットクラスタが用いられる以外は、図２３Ａ及び図２３に示されたのと同じである。
【０１４８】
図５に戻ると、選択されたパイロットルールを評価した後、所望のパイロット構造またはパイロット構造セットを作る（ステップ５０８）。プロセッサ２０２は、所望のパイロット構造またはパイロット構造セットを無線通信に用いることができる（ステップ５１０）。例えば、プロセッサ２０２は、送受信機１１２及び／または送受信機１２２に所望のパイロット構造またはパイロット構造セットをさまざまな無線通信チャネル上に伝送される信号に挿入させ、さまざまな無線通信チャネルから受けた信号に挿入された所望のパイロット構造またはパイロット構造セットを除去する。信号内の所望のパイロット構造またはパイロット構造セットは、例えば、時間と周波数の同期を行い、チャネル情報を測定し、干渉軽減または干渉除去などを行い、且つ（または）時間／周波数オフセット推定を提供するなど、さまざまな動作を行うように用いられ、無線通信を円滑にする。
【０１４９】
以上、本発明の好適な実施形態を例示したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【０１５０】
１００  通信環境
１１０  基地局
１２０  通信端末
１１２  送受信機
１４０  アンテナアレイ
１４２  アンテナ
１２２  送受信機
１５０  アンテナアレイ
２００  制御器
２０２  プロセッサ
２０４  ランダムアクセスメモリ（ＲＡＭ）
２０４  読み出し専用メモリ（ＲＯＭ）
２０８  記憶装置
２１０  入力／出力インターフェース
２１２  通信インターフェース
３００  資源ユニット
３０２  リソースグリッド
【図１】
2014079011.tif 000062
【図２】
2014079011.tif 000063
【図３】
2014079011.tif 000064
【図４Ａ】
2014079011.tif 000065
【図４Ｂ】
2014079011.tif 000066
【図５】
2014079011.tif 000067
【図６Ａ】
2014079011.tif 000068
【図６Ｂ】
2014079011.tif 000069
【図６Ｃ】
2014079011.tif 000070
【図６Ｄ】
2014079011.tif 000071
【図６Ｅ】
2014079011.tif 000072
【図６Ｆ】
2014079011.tif 000073
【図６Ｇ】
2014079011.tif 000074
【図６Ｈ】
2014079011.tif 000075
【図７Ａ】
2014079011.tif 000076
【図７Ｂ】
2014079011.tif 000077
【図７Ｃ】
2014079011.tif 000078
【図７Ｄ】
2014079011.tif 000079
【図７Ｅ】
2014079011.tif 000080
【図７Ｆ】
2014079011.tif 000081
【図７Ｇ】
2014079011.tif 000082
【図７Ｈ】
2014079011.tif 000083
【図７Ｉ】
2014079011.tif 000084
【図７Ｊ】
2014079011.tif 000085
【図７Ｋ】
2014079011.tif 000086
【図７Ｌ】
2014079011.tif 000087
【図７Ｍ】
2014079011.tif 000088
【図８Ａ】
2014079011.tif 000089
【図８Ｂ】
2014079011.tif 000090
【図９Ａ】
2014079011.tif 000091
【図９Ｂ】
2014079011.tif 000092
【図１０Ａ】
2014079011.tif 000093
【図１０Ｂ】
2014079011.tif 000094
【図１１Ａ】
2014079011.tif 000095
【図１１Ｂ】
2014079011.tif 000096
【図１２Ａ】
2014079011.tif 000097
【図１２Ｂ】
2014079011.tif 000098
【図１３Ａ】
2014079011.tif 000099
【図１３Ｂ】
2014079011.tif 000100
【図１４Ａ】
2014079011.tif 000101
【図１４Ｂ】
2014079011.tif 000102
【図１５Ａ】
2014079011.tif 000103
【図１５Ｂ】
2014079011.tif 000104
【図１５Ｃ】
2014079011.tif 000105
【図１５Ｄ】
2014079011.tif 000106
【図１５Ｅ】
2014079011.tif 000107
【図１５Ｆ】
2014079011.tif 000108
【図１５Ｇ】
2014079011.tif 000109
【図１５Ｈ】
2014079011.tif 000110
【図１５Ｉ】
2014079011.tif 000111
【図１５Ｊ】
2014079011.tif 000112
【図１６Ａ】
2014079011.tif 000113
【図１６Ｂ】
2014079011.tif 000114
【図１６Ｃ】
2014079011.tif 000115
【図１６Ｄ】
2014079011.tif 000116
【図１７】
2014079011.tif 000117
【図１８】
2014079011.tif 000118
【図１９】
2014079011.tif 000119
【図２０】
2014079011.tif 000120
【図２１】
2014079011.tif 000121
【図２２】
2014079011.tif 000122
【図２３Ａ】
2014079011.tif 000123
【図２３Ｂ】
2014079011.tif 000124
【図２４Ａ】
2014079011.tif 000125
【図２４Ｂ】
2014079011.tif 000126
【図２５Ａ】
2014079011.tif 000127
【図２５Ｂ】
2014079011.tif 000128